(57)【特許請求の範囲】
【請求項１】
玉受床板を、基本レールを固定するための基本レール固定用床板部と、トングレールをスライド自在に支承するトングレール・スライド用玉受床板部とに分割して設け、前記基本レール固定用床板部には、一端寄り内縁に基本レールの係合縁、外縁に斜辺係合溝、その係合縁と斜辺係合溝との間を基本レール固定用支承面に設けると共に、斜辺係合溝寄に上下に貫通する締付けボルト支持孔を設け、且つ装嵌部を設け、該装嵌部にトングレール・スライド用玉受床板部を調整自在に装嵌し、基本レール固定用床板部に基本レールを固定し、枕木に固定配置して所要に基本レールを設定した後、その基本レール固定用床板部に対してトングレール・スライド用玉受床板部を調整移動し、トングレール・スライド用玉受床板部に装備された第１玉受とトングレールとのクリアランスを所要に取り、その位置でこのトングレール・スライド用玉受床板部を基本レール固定用床板部または枕木に犬釘、ボルト・ナットまたはその他の適宜締付け手段により固定することを特徴とする転轍機における玉受床板の固定方法。
【請求項２】
玉受床板を、基本レールを固定するための基本レール固定用床板部と、トングレールをスライド自在に支承するトングレール・スライド用玉受床板部とに分割して設け、前記基本レール固定用床板部には、一端寄り内縁に基本レールの係合縁、外縁に斜辺係合溝、その係合縁と斜辺係合溝との間を基本レール固定用支承面に設けると共に、斜辺係合溝寄に上下に貫通する締付けボルト支持孔を設け、且つ装嵌部を設け、トングレール・スライド用玉受床板部には、上面の所要位置に第１玉受を配置し、その第１玉受からトングレールのスライド幅にしたがって第２、第３等の玉受を、所要の間隔で所要個数配置し、前記基本レール固定用床板部の装嵌部にトングレール・スライド用玉受床板部を調整自在に装嵌し、その基本レール固定用床板部に対してトングレール・スライド用玉受床板部を調整移動し、トングレール・スライド用玉受床板部に装備された第１玉受とトングレールとのクリアランスを所要に取り、その位置でこのトングレール・スライド用玉受床板部を基本レール固定用床板部または枕木に犬釘、ボルト・ナットまたはその他の適宜締付け手段により固定することを特徴とする転轍機における玉受床板の固定装置。
【発明の詳細な説明】
【０００１】
【発明の属する技術分野】
この発明は、転轍機における玉受床板の固定方法および固定装置に関するものである。
【０００２】
【従来の技術】
従来、転轍機において、枕木に床板を配し、その床板に基本レールの底部の一方の側縁を係合し、他方の側縁を、ボルト・ナットおよび係合座金で係合圧接して枕木に固着している。次にトングレールは、前記基本レールに沿って所要長さ、その底面を床板に接触支承し、滑動油をたっぷりと介在して滑動自在に設置している。
【０００３】
【発明が解決ようとする課題】
前記従来の技術の説明の項で説明したように、トングレールが、その底面を床板に接触し、滑動油を仲介し滑動自在に設置しているから、トングレールと基本レールは、平面な床板の上面のどの位置でも相対的に固定位置を決定する事ができるものである。しかし、この発明で提案する玉受床板を使用する場合に、玉受を予め床板に設定しているから、基本レールの固定位置に対してこれを調整することができなく、したがって、所要のクリアランスを採ることができない。
この発明は、かかる欠点を解消することを目的になされたものである。
【０００４】
【課題を解決するための手段】
玉受床板を、基本レールを固定するための基本レール固定用床板部と、トングレールをスライド自在に支承するトングレール・スライド用玉受床板部とに分割して設け、前記基本レール固定用床板部には、一端寄り内縁に基本レールの係合縁、外縁に斜辺係合溝、その係合縁と斜辺係合溝との間を基本レール固定用支承面に設けると共に、斜辺係合溝寄に上下に貫通する締付けボルト支持孔を設け、且つ装嵌部を設け、該装嵌部にトングレール・スライド用玉受床板部を調整自在に装嵌し、基本レール固定用床板部に基本レールを固定し、枕木に固定配置して所要に基本レールを設定した後、その基本レール固定用床板部に対してトングレール・スライド用玉受床板部を調整移動し、トングレール・スライド用玉受床板部に装備された第１玉受とトングレールとのクリアランスを所要に取り、その位置でこのトングレール・スライド用玉受床板部を基本レール固定用床板部または枕木に犬釘、ボルト・ナットまたはその他の適宜締付け手段により固定することを特徴とする転轍機における玉受床板の固定方法にある。
【０００５】
玉受床板を、基本レールを固定するための基本レール固定用床板部と、トングレールをスライド自在に支承するトングレール・スライド用玉受床板部とに分割して設け、前記基本レール固定用床板部には、一端寄り内縁に基本レールの係合縁、外縁に斜辺係合溝、その係合縁と斜辺係合溝との間を基本レール固定用支承面に設けると共に、斜辺係合溝寄に上下に貫通する締付けボルト支持孔を設け、且つ装嵌部を設け、トングレール・スライド用玉受床板部には、上面の所要位置に第１玉受を配置し、その第１玉受からトングレールのスライド幅にしたがって第２、第３等の玉受を、所要の間隔で所要個数配置し、前記基本レール固定用床板部の装嵌部にトングレール・スライド用玉受床板部を調整自在に装嵌し、その基本レール固定用床板部に対してトングレール・スライド用玉受床板部を調整移動し、トングレール・スライド用玉受床板部に装備された第１玉受とトングレールとのクリアランスを所要に取り、その位置でこのトングレール・スライド用玉受床板部を基本レール固定用床板部または枕木に犬釘、ボルト・ナットまたはその他の適宜締付け手段により固定することを特徴とする転轍機における玉受床板の固定装置にある。
【０００６】
【発明の実施の形態】
玉受床板を、基本レールを固定するための基本レール固定用床板部と、トングレールをスライド自在に支承するトングレール・スライド用玉受床板部とに分割して設け、前記基本レール固定用床板部には、一端寄り内縁に基本レールの係合縁、外縁に斜辺係合溝、その係合縁と斜辺係合溝との間を基本レール固定用支承面に設けると共に、斜辺係合溝寄に上下に貫通する締付けボルト支持孔を設け、且つ装嵌部を設け、トングレール・スライド用玉受床板部には、上面の所要位置に第１玉受を配置し、その第１玉受からトングレールのスライド幅にしたがって第２、第３等の玉受を、所要の間隔で所要個数配置し、前記基本レール固定用床板部の装嵌部にトングレール・スライド用玉受床板部を調整自在に装嵌し、その基本レール固定用床板部に対してトングレール・スライド用玉受床板部を調整移動し、トングレール・スライド用玉受床板部に装備された第１玉受とトングレールとのクリアランスを所要に取り、その位置でこのトングレール・スライド用玉受床板部を基本レール固定用床板部に犬釘により固定することを特徴とする転轍機における玉受床板の固定装置。
【０００７】
【実施例】
以下、この発明の転轍機における玉受床板の固定方法および固定装置を、第１の実施例を示す図１〜図６の図面により説明すると、玉受床板１を、基本レール２を固定するための基本レール固定用床板部３と、トングレール４をスライド自在に支承するトングレール・スライド用玉受床板部５に分割して設けている。
【０００８】
前記基本レール固定用床板部３は、図１〜図４に示すように、一端寄り内縁に基本レール２の係合縁６、反対の外縁に斜辺係合溝７を夫々設け、その係合縁６と斜辺係合溝７との間を基本レール固定用支承面８に設けると共に、斜辺係合溝７寄に上下に貫通する締付けボルト支持孔９を設けて構成し、且つその基本レール固定用床板部３の基本レール固定用支承面８に連続する中央部をトングレール・スライド用玉受床板部５を装嵌する装嵌部１０に設け、この装嵌部１０に沿って移動し調整自在であると共に、基本レール固定用床板部３の左右両端およびトングレール・スライド用玉受床板部５の外端に枕木１１への取付孔１２ａ、１２ａ、１２ｂを設け、犬釘１３、１３、１３により基本レール固定用床板部３およびトングレール・スライド用玉受床板部５を枕木１１へ調整して取付自在に設けている。
【０００９】
この基本レール固定用床板部３において、基本レール２を固定する構造は、上記実施例に限定されるものではなく、上記実施例を基本構造に細部の点で異なる種々の固定構造が提案できるものである。
【００１０】
前記第１実施例の基本レール固定用床板部３には、装嵌部１０の内端に連通する係合部１４と、両側下縁に内側に突出する支承段部１５、１５を設け、トングレール・スライド用玉受床板部５の内端を係合し、かつトングレール・スライド用玉受床板部５を基本レール方向に調整自在に装嵌している。
【００１１】
前記第１実施例のトングレール・スライド用玉受床板部５は、上面の所要位置に第１玉受１６を配置し、その第１玉受１６からトングレール４のスライド幅にしたがって第２玉受１６ａ、第３玉受（図示ない）を所要の間隔で所要個数を追加配置してもよく、その外端の取付孔１２ｂに犬釘１３を挿通し、その取付位置を調整自在に設けている。
【００１２】
基本レール固定用床板部３およびトングレール・スライド用玉受床板部５とも前記第１実施例では、犬釘１３を使用しているが、図７および図８に示すように、基本レール固定用床板部３の案内孔１２ｃを真円孔に形成し、トングレール・スライド用玉受床板部５の取付孔１２ｄを長穴孔に形成してボルト・ナットにしても、さらにその他の形状に案内孔および取付孔を形成し、その他の適宜締付け手段にしても勿論よいものである。
【００１３】
次に、この発明の転轍機における玉受床板の固定方法および固定装置を、第２の実施例を示す図９〜図１２の図面により説明すると、基本レール固定用床板部３に設けるトングレール・スライド用玉受床板部５を装嵌する装嵌部１０ａを、図９および図１０に示すように、基本レール２と反対方向の外端に開口して設け、この装嵌部１０ａにトングレール・スライド用玉受床板部５を装嵌するもので、トングレール・スライド用玉受床板部５の内端は、基本レール固定用床板部３の係合部１４と係合し、内端を外れないようにしてその外端に設けた取付孔１２ｄにボルト（図示しない）を挿通して枕木１１に固定している。
【００１４】
次に、この発明の転轍機における玉受床板の固定方法および固定装置を、第３の実施例を示す図１３〜図１７の図面により説明すると、基本レール固定用床板部３に設けるトングレール・スライド用玉受床板部５ａを装嵌する装嵌部１０ｂを、図１３〜図１７に示すように、基本レール２と反対方向の外端および一側縁を鍵形に削除した形状に設け、この装嵌部１０ｂにトングレール・スライド用玉受床板部５ａを装嵌するもので、トングレール・スライド用玉受床板部５の内端は、基本レール固定用床板部３の係合部１４と係合し、内端を外れないようにしてその外端に設けた取付孔１２ｅにボルト（図示しない）を挿通して枕木１１に固定している。
【００１５】
前記第３の実施例の基本レール固定用床板部３の装嵌部１０ｂは、図１６および図１９に示すように、内側縁に係合突条１７を併設し、前記トングレール・スライド用玉受床板部５ａの対応縁には、図１７および図２０に示すように、係合溝１８を設け、基本レール固定用床板部３の係合突条１７とトングレール・スライド用玉受床板部５の係合溝１８を互いに係合しても勿論よいものである。
【００１６】
次に、基本レール２およびトングレール４を玉受床板１に載置して枕木１１に固定配置する方法について第１実施例の図１〜図６の図面により説明すると、先ず、基本レール固定用床板部３に基本レール２の一側縁を係合縁６に係合し、反対の側を斜辺係合溝７に係合したレール押え金１９を、締付けボルト支持孔９に下端頭部が掛合した締付けボルト２０とナット２１により締付けて基本レール２を設定した後、基本レール固定用床板部３の装嵌部１０にトングレール・スライド用玉受床板部５を装嵌し、このトングレール・スライド用玉受床板部５の内端を基本レール固定用床板部３の係合部１４に結合し、かつ調整移動して、トングレール４の設定位置にしたがって、対応する第１玉受１６とのクリアランス２２を図２に示すように所要に取り、その位置でこのトングレール・スライド用玉受床板部５を枕木１１に固定するのである。
【００１７】
トングレール４と、対応するトングレール・スライド用球受床板部５上の第１玉受１６とのクリアランス２２は、実施例を説明する基本レールの間の幅が１メートル以下の狭軌鉄道のもので、２．５ミリメートルが選定される。
【００１８】
【発明の効果】
この発明の転轍機における玉受床板の固定方法および固定装置は以上のようになるから、転轍機を設置するとき、基本レールを固定する床板上において、トングレールを退避側にスライド支承する玉受装置を調整自在にすることができ、現場でトングレールのスライドに対応したクリアランスを容易に調整して取ることができるのである。
【図面の簡単な説明】
【図１】  この発明の転轍機における玉受床板の固定方法および固定装置の第１実施例を示す平面図である。
【図２】  同じく、図１におけるＡ−Ａ線よりみた玉受床板の側断面図である。
【図３】  同じく、第１実施例の基本レール固定用床板部単体の平面図である。
【図４】  同じく、その一部切欠断面で示す側面図である。
【図５】  同じく、トングレール・スライド用玉受床板部単体の平面図である。
【図６】  同じく、その縦断側面図である。
【図７】  この発明の第１実施例の基本レール固定用床板部において、枕木へボルト締付け例の他の例を示す部分平面図である。
【図８】  同じく、図７に示す枕木へボルト締付け実施例において、トングレール・スライド用玉受床板部の取付孔の実施例を示す平面図である。
【図９】  同じく、第２実施例の基本レール固定用床板部単体の平面図である。
【図１０】  同じく、その一部切欠断面で示す側面図である。
【図１１】  同じく、第２実施例のトングレール・スライド用玉受床板部単体の平面図である。
【図１２】  同じく、その縦断側面図である。
【図１３】  同じく、第３実施例の基本レール固定用床板部単体の平面図である。
【図１４】  同じく、実施例第３のトングレール・スライド用玉受床板部単体の平面図である。
【図１５】  同じく、その縦断側面図である。
【図１６】  同じく、実施例第３の基本レール固定用床板部単体の別の実施例を示す平面図である。
【図１７】  同じく、図１６の実施例第３の基本レール固定用床板部単体の別の実施例と適合するトングレール・スライド用玉受床板部の別の実施例を示す平面図である。
【図１８】  同じく、その別の実施例を示す縦断側面図である。
【図１９】  同じく、第３実施例の基本レール固定用床板部単体の別の実施例を示す図１６において、矢印Ｂの方向に見た端面図である。
【図２０】  同じく、図１７においてＣ−Ｃ線に沿う断面図である。
【符号の説明】
１  玉受床板
２  基本レール
３  基本レール固定用床板部
４  トングレール
５  トングレール・スライド用玉受床板部
５ａ  トングレール・スライド用玉受床板部
６  係合縁
７  斜辺係合溝
８  基本レール固定用支承面
９  締付けボルト支持孔
１０  装嵌部
１０ａ  装嵌部
１０ｂ  装嵌部
１１  枕木
１２ａ  取付孔
１２ｂ  取付孔
１２ｃ  案内孔
１２ｄ  取付孔
１２ｅ  取付孔
１３  犬釘
１４  係合部
１５  支承段部
１６  第１玉受
１６ａ  第２玉受
１７  係合突条
１８  係合溝
１９  レール押え金
２０  締付けボルト
２１  ナット
２２  クリアランス
【図１】
0003796722.tif 000002
【図２】
0003796722.tif 000003
【図３】
0003796722.tif 000004
【図４】
0003796722.tif 000005
【図５】
0003796722.tif 000006
【図６】
0003796722.tif 000007
【図７】
0003796722.tif 000008
【図８】
0003796722.tif 000009
【図９】
0003796722.tif 000010
【図１０】
0003796722.tif 000011
【図１１】
0003796722.tif 000012
【図１２】
0003796722.tif 000013
【図１３】
0003796722.tif 000014
【図１４】
0003796722.tif 000015
【図１５】
0003796722.tif 000016
【図１６】
0003796722.tif 000017
【図１７】
0003796722.tif 000018
【図１８】
0003796722.tif 000019
【図１９】
0003796722.tif 000020
【図２０】
0003796722.tif 000021